(57)【要約】      （修正有）【課題】バレルの先端部をより高い保持力で保持することができるアダプタ及び該アダプタを備えたアダプタ付きバレルを提供することを課題とする。【解決手段】シリンジ用のバレルの先端部に医療用器具を取り付けるアダプタ１において、協働してバレルの先端部を保持し、且つバレルの先端部の外面に沿う周方向に間隔を空けて配置される複数の保持部３を備え、該保持部は、バレルの先端部に当接する当接部と、バレルの先端部の径方向における該当接部の外側に連設される基端部とを有し、当接部は、前記周方向及び前記径方向に直交する中心線方向の厚みが該基端部の該中心線方向での厚みよりも大きくなるように形成され、且つバレルの先端部を該当接部の先端部側に案内する案内面を有するアダプタ及び該アダプタを備えるアダプタ付バレルである。【選択図】図２
2017209368.tif 000002
【特許請求の範囲】
【請求項１】
シリンジ用のバレルの先端部に医療用器具を取り付けるためのアダプタにおいて、
互いに協働して前記バレルの先端部を保持する複数の保持部であって、前記バレルの先端部の外面に沿う周方向に間隔を空けて配置される複数の保持部を備え、
該保持部は、
前記バレルの先端部に当接する当接部と、
前記バレルの先端部の径方向における該当接部の外側に連設される基端部とを有し、
前記当接部は、前記周方向及び前記径方向のそれぞれに直交する中心線方向での厚みが該基端部の該中心線方向での厚みよりも大きくなるように形成されるとともに、前記バレルの先端部を該当接部の先端部側に案内する案内面を有する
アダプタ。
【請求項２】
前記当接部は、
前記周方向における中央部に位置する本体部と、
前記周方向における該本体部の両側に位置する一対の補助部とを有し、
前記本体部の前記中心線方向での厚みは、該補助部の前記中心線方向での厚みよりも大きい
請求項１に記載のアダプタ。
【請求項３】
前記当接部の周方向における幅は、
前記基端部の周方向における幅よりも広い
請求項１又は請求項２に記載のアダプタ。
【請求項４】
前記当接部は、前記基端部よりも前記中心線方向での厚みが大きい本体部を有し、
該本体部は、前記径方向における前記基端部の内側に連設され、
前記周方向における前記本体部の幅は、前記周方向における前記基端部の幅と同一又は略同一である
請求項１乃至請求項３の何れか１項に記載のアダプタ。
【請求項５】
シリンジ用のバレルと、
該バレルの先端部に取り付けられる上記請求項１乃至請求項４の何れか１項に記載のアダプタとを備える
アダプタ付バレル。
【発明の詳細な説明】
【技術分野】
【０００１】
本発明は、シリンジ用のバレルの先端部に医療用器具を取り付けるためのアダプタ、及びアダプタ付バレルに関する。
【背景技術】
【０００２】
従来から、シリンジを構成するバレルの先端部に注射針や点滴回路等の医療用器具が取り付けられることがある。このとき、バレルの先端部に医療用器具を取り付けるためのアダプタが用いられている。
【０００３】
シリンジ用のバレル５０は、図１３に示すように、筒状のバレル本体部５００と、該バレル本体部５００の一方の開口端から延出するノズル部５０１であって、該バレル本体部５００よりも小径であるノズル部５０１とを有する。すなわち、バレル５０の先端部とは、ノズル部５０１である。
【０００４】
アダプタは、図１４、図１５に示すように、互いに協働してバレル５０の先端部を保持する複数の保持部６０であって、バレル５０の先端部の外面に沿う周方向に間隔を空けて配置される複数の保持部６０を備えている（例えば、特許文献１参照）。
【０００５】
保持部６０は、図１５に示すように、バレル５０の先端部に当接する当接部６００と、バレル５０の先端部の径方向において該当接部６００の外側に連設される基端部６０１とを有する。そして、保持部６０は、全体の厚み（バレル５０の中心線方向における厚み）が同一となっている。すなわち、当接部６００の厚みと基端部６０１の厚みとは、同一である。
【０００６】
かかるアダプタ６をバレル５０の先端部に取り付ける場合、バレル５０の先端部が各保持部６０の間に圧入される。これに伴い、互いに厚みが同一である当接部６００と基端部６０１とが、バレル５０の先端部によって径外方向に押し広げられるように変形する。これにより、アダプタ６では、当接部６００がバレル５０の先端部に圧接し、各保持部６０がバレル５０の先端部を保持した状態になる。
【０００７】
また、アダプタ６には、図１６、図１７に示すように、当接部６００の前記周方向における中央部の厚みと基端部６０１の厚みとが同一となるように形成された保持部６０を備えるものも提供されている。
【０００８】
かかるアダプタ６においても、バレル５０の先端部が各保持部６０の間に圧入されると、基端部６０１と前記周方向における保持部６０の中央部とがバレル５０の先端部によって径外方向に押し広げられて変形する。そのため、前記アダプタ６においても、各保持部６０の当接部６００がバレル５０の先端部に圧接し、これにより、各保持部６０がバレル５０の先端部を保持した状態になる。
【０００９】
このように、上述のアダプタ６は、何れも、バレル５０の先端部からの外力に対する保持部６０の反力によってバレル５０の先端部を保持している。
【先行技術文献】
【特許文献】
【００１０】
【特許文献１】特表２０１２−５１５５８２号公報
【発明の概要】
【発明が解決しようとする課題】
【００１１】
ところで、この種のアダプタ６には、例えば、バレル５０の先端部への取付時やバレル５０の先端部と医療用器具とを接続している使用時において、バレル５０の先端部に対する姿勢や取付位置をより確実に維持できるようにすべく、バレル５０の先端部に対する保持力を更に高めることが求められている。
【００１２】
そこで、本発明は、斯かる実情に鑑み、バレルの先端部をより高い保持力で保持することができるアダプタを提供することを課題とする。また、本発明は、アダプタがバレルの先端部をより高い保持力で保持することができるアダプタ付バレルを提供することを課題とする。
【課題を解決するための手段】
【００１３】
本発明のアダプタは、
シリンジ用のバレルの先端部に医療用器具を取り付けるためのアダプタにおいて、
互いに協働して前記バレルの先端部を保持する複数の保持部であって、前記バレルの先端部の外面に沿う周方向に間隔を空けて配置される複数の保持部を備え、
該保持部は、
前記バレルの先端部に当接する当接部と、
前記バレルの先端部の径方向における該当接部の外側に連設される基端部とを有し、
前記当接部は、前記周方向及び前記径方向のそれぞれに直交する中心線方向での厚みが該基端部の該中心線方向での厚みよりも大きくなるように形成されるとともに、前記バレルの先端部を該当接部の先端部側に案内する案内面を有する。
【００１４】
上記構成のアダプタによれば、基端部が前記径方向で当接部の外側に連設されるため、案内面によって中心側に案内されたバレルの先端部が各保持部の間に圧入されると、当接部及び基端部のそれぞれが該バレルの先端部によって前記径方向における外側に向けて押圧される。
【００１５】
また、前記アダプタでは、当接部が該基端部よりも厚く形成されるため、当接部の剛性が基端部の剛性よりも高まる（すなわち、基端部の剛性が当接部の剛性よりも低くなる）。従って、当接部及び基端部のそれぞれがバレルの先端部によって押圧されたときに基端部が優先的に変形するため、当接部の変形が抑えられる。これにより、前記アダプタでは、芯出しされたバレルの先端部を変形が抑えられた当接部によって保持することができるため、該バレルの先端部に対して十分な保持力を作用させることができる。
【００１６】
本発明のアダプタにおいて、前記当接部は、
前記周方向における中央部に位置する本体部と、
前記周方向における該本体部の両側に位置する一対の補助部とを有し、
前記本体部の前記中心線方向での厚みは、該補助部の前記中心線方向での厚みよりも大きくてもよい。
【００１７】
上記構成のアダプタによれば、当接部が前記周方向における本体部の両側に位置する一対の補助部を有するため、本体部に加えて補助部もバレルの先端部に圧接する。従って、前記アダプタでは、保持部がバレルの先端部に圧接する領域をより広くすることができ、これにより、バレルの先端部に対する保持力をより高めることができる。
【００１８】
また、前記アダプタでは、本体部が補助部よりも厚いため、当接部がバレルの先端部によって押圧されたときに補助部が本体部よりも変形し易くなる。従って、前記アダプタでは、本体部及び補助部全体がバレルの先端部に圧接し易くなるため、バレルの先端部をより適正に保持することができる。
【００１９】
本発明のアダプタにおいて、前記当接部の周方向における幅は、
前記基端部の周方向における幅よりも広くてもよい。
【００２０】
上記構成のアダプタによれば、前記周方向において、当接部の幅が基端部の幅よりも広いため、当接部の一部が基端部よりも外側に位置する。そのため、当接部がバレルの先端部によって押圧されたときに前記当接部の一部が該バレルの先端部の形状に沿って変形し易くなる。これにより、当接部全体がバレルの先端部に圧接し易くなるため、バレルの先端部をより適正に保持することができる。
【００２１】
本発明のアダプタにおいて、前記当接部は、前記基端部よりも前記中心線方向での厚みが大きい本体部を有し、
該本体部は、前記径方向における前記基端部の内側に連設され、
前記周方向における前記本体部の幅は、前記周方向における前記基端部の幅と同一又は略同一であってもよい。
【００２２】
上記構成のアダプタによれば、当接部の本体部が前記径方向における基端部の内側に連設されるため、該本体部がバレルの先端部に対して直接的に圧接する。
【００２３】
前記アダプタでは、本体部が基端部よりも厚いため、本体部及び基端部のそれぞれがバレルの先端部によって押圧されたときに基端部を優先的に変形させることで、本体部の変形を抑えることができ、これにより、バレルの先端部に対して十分な保持力を作用させることができる。
【００２４】
また、前記アダプタでは、前記周方向における本体部の幅と、前記周方向における基端部の幅とが同一又は略同一であるため、本体部全体の変形を抑えることができる。
【００２５】
本発明のアダプタ付バレルは、
シリンジ用のバレルと、
該バレルの先端部に取り付けられる上記何れかのアダプタとを備える。
【００２６】
上記構成のアダプタ付バレルによれば、基端部が前記径方向で当接部の外側に連設されるため、バレルの先端部が各保持部の間に圧入されると、当接部及び基端部のそれぞれが該バレルの先端部によって前記径方向外方向に向けて押圧される。
【００２７】
また、前記アダプタでは、当接部が該基端部よりも厚く形成されるため、当接部の剛性が基端部の剛性よりも高まる（すなわち、基端部の剛性が当接部の剛性よりも低くなる）。従って、当接部及び基端部のそれぞれがバレルの先端部によって押圧されたときに、基端部が優先的に変形するため、当接部の変形が抑えられる。これにより、前記アダプタでは、芯出しされたバレルの先端部を変形が抑えられた当接部によって保持することができるため、該バレルの先端部に対して十分な保持力を作用させることができる。
【発明の効果】
【００２８】
以上のように、本発明のアダプタによれば、バレルの先端部をより高い保持力で保持することができるという優れた効果を奏し得る。また、本発明のアダプタ付バレルによれば、アダプタがバレルの先端部をより高い保持力で保持することができるという優れた効果を奏し得る。
【図面の簡単な説明】
【００２９】
【図１】図１は、本発明の一実施形態に係るアダプタの接続部側の斜視図である。
【図２】図２は、同実施形態に係るアダプタの保持部側の斜視図である。
【図３】図３は、同実施形態に係るアダプタの底面図である。
【図４】図４は、同実施形態に係るアダプタの断面図であって、図３のＩＶ−ＩＶ線における断面図である。
【図５】図５は、同実施形態に係るアダプタの説明図であって、保持部の間にバレルの先端部を圧入する前の状態の説明図である。
【図６】図６は、同実施形態に係るアダプタの説明図であって、保持部の間にバレルの先端部を圧入している状態の説明図である。
【図７】図７は、同実施形態に係るアダプタの説明図であって、保持部の間にバレルの先端部を完全に圧入した状態の説明図である。
【図８】図８は、本発明の他実施形態に係るアダプタの説明図である。
【図９】図９は、本発明の別の実施形態に係るアダプタの説明図である。
【図１０】図１０は、本発明のさらに別の実施形態に係るアダプタの説明図である。
【図１１】図１１は、本発明のさらに別の実施形態に係るアダプタの説明図である。
【図１２】図１２は、本発明のさらに別の実施形態に係るアダプタの説明図である。
【図１３】図１３は、シリンジの概要図である。
【図１４】図１４は、従来のアダプタの説明図であって、バレルの先端部に取り付けた状態の説明図である。
【図１５】図１５は、従来のアダプタの底面図である。
【図１６】図１６は、従来の別のアダプタの保持部側の斜視図である。
【図１７】図１７は、従来の別のアダプタの説明図であって、バレルの先端部に取り付けた状態の説明図である。
【発明を実施するための形態】
【００３０】
以下、本発明の一実施形態にかかるアダプタについて、添付図面を参照しつつ説明する。本実施形態に係るアダプタは、シリンジ用のバレルの先端部と、注射針や点滴回路等の医療用器具とを接続するためのものである。
【００３１】
まず、アダプタを取り付ける対象とするバレルについて説明する。バレル５０は、図１３に示すように、筒状のバレル本体部５００と、該バレル本体部５００の一方の開口端から延出するノズル部５０１とを有する。また、バレル５０は、バレル本体部５００の他方の開口端全周から径方向における外側に突出する鍔部５０２を有する。
【００３２】
バレル本体部５００は、内部に薬液等が充填される空間を有する。そして、ノズル部５０１は、バレル本体部５００内の薬液等を流通させることができるように構成されている。より具体的に説明する。ノズル部５０１は、筒状であり且つ内部がバレル本体部５００の内部と連通するノズル本体部５０１ａを有する。また、ノズル部５０１は、バレル本体部５００の一方の開口端とノズル本体部５０１ａとにつながる縮径部５０１ｂを有する。
【００３３】
ノズル本体部５０１ａの外径は、バレル本体部５００の外径よりも小さい。そして、ノズル本体部５０１ａは、筒状であり且つ中心線方向における一端から他端にかけて外径が徐々に大きくなるテーパー部５０１ｃと、該テーパー部５０１ｃの他端に連続し且つ該テーパー部５０１ｃよりも外径が小さい小径部５０１ｄとを有する。そのため、ノズル本体部５０１ａでは、テーパー部５０１ｃと、小径部５０１ｄとの境目には、段差が形成されている。
【００３４】
縮径部５０１ｂは、バレル本体部５００の一方の開口端と、小径部５０１ｄとに連続する。そのため、縮径部５０１ｂでは、バレル本体部５００の一方の開口端側から小径部５０１ｄ側になるにつれて、外径が小さくなっている。
【００３５】
なお、本実施形態に係るバレル５０は、シリンジ５を構成するためのものである。そして、本実施形態に係るバレル５０を備えるシリンジ５は、バレル本体部５００の内部に配置され且つバレル本体部５００の内周面全周に亘って密接するガスケット５１と、棒状であり且つ長手方向における一端に該ガスケット５１が固定されているロッド５２とを備えている。また、シリンジ５は、バレル本体部５００の他方の開口端側に外嵌される支持部材５３を備えている。
【００３６】
そのため、シリンジ５では、使用者が支持部材５３に指を掛けた状態でロッド５２の長手方向における他端を押し込むと、該ロッド５２によってガスケット５１がバレル本体部５００の一方の開口端側に押される。そして、ガスケット５１がバレル本体部５００の一方の開口端側に移動するに伴い、バレル本体部５００内の薬液等がノズル部５０１から外部に押し出される。
【００３７】
アダプタは、図１、及び図２に示すように、筒状の外壁部２と、該外壁部２の内周面に沿う周方向に間隔を空けて配置される複数（本実施形態では、４つ）の保持部３と、前記外壁部２に医療用器具を接続するための接続部４とを備えている。なお、本実施形態において、バレル５０の先端部とは、ノズル部５０１のことである。
【００３８】
外壁部２は、円筒状の外壁部本体２０と、該外壁部本体２０の外周面に形成される複数の凸条２１とを有する。
【００３９】
外壁部本体２０の内周面には、保持部３が連設されている。そして、複数の凸条２１のそれぞれは、外壁部本体２０の中心線方向（以下、単に中心線方向という）に沿って延びるとともに、外壁部本体２０の中心線を中心とする周方向（以下、単に周方向という）で互いに間隔を空けて並んでいる。
【００４０】
保持部３は、図３、及び図４に示すように、外壁部本体２０の径方向（以下、単に径方向という）においてノズル部５０１に当接する当接部３０と、該径方向において当接部３０の外側に連設される基端部３１とを有する。
【００４１】
当接部３０は、前記周方向における中央部に位置する本体部３００と（図３参照）、前記周方向において該本体部３００の両側に位置する一対の補助部３０１と、ノズル部５０１を該当接部３０の先端部側に案内する案内面３０２を有する。
【００４２】
本体部３００は、図４に示すように、前記径方向で基端部３１に連続し且つ前記中心線方向での厚みが基端部３１よりも大きい難変形部３０３と、前記径方向において該難変形部３０３よりも内側に位置する圧接部３０４とを有する。
【００４３】
難変形部３０３は、前記中心線方向での厚みが全体に亘って一定である。そして、難変形部３０３は、前記中心線方向で外壁部２の内側に向くように形成される内底面３０３ａであって、前記径方向に広がる内底面３０３ａと、前記中心線方向で外壁部２の外側に向くように形成される外底面３０３ｂであって、前記径方向に広がる外底面３０３ｂとを有する。難変形部３０３における内底面３０３ａと外底面３０３ｂとは、平行に広がっている。
【００４４】
圧接部３０４は、難変形部３０３から径内方向（前記径方向において、外壁部本体２０の中心側に向かう方向）に向けて延びるにつれて厚みが小さくなっている。本実施形態では、圧接部３０４の一部が基端部３１よりも薄くなっている。
【００４５】
より具体的に説明すると、圧接部３０４は、前記径方向における内側の部分の厚みが基端部３１の厚みよりも小さくなり、前記径方向における外側の部分の厚みが基端部３１の厚みよりも大きくなるように形成されている。
【００４６】
そして、圧接部３０４は、前記径方向での先端面である当面３０４ａと、外壁部２の内部に位置する内向面３０４ｂであって、前記中心線方向に直交する方向に広がる内向面３０４ｂと、外壁部２の外部に向けて形成されるガイド面３０４ｃであって、外壁部２の中心側に向かうにつれて外壁部２の内部側に傾斜するガイド面３０４ｃとを有する。
【００４７】
当面３０４ａは、前記中心線方向における幅が一定であり、且つ前記周方向に沿って湾曲している。また、当面３０４ａの前記中心線方向における幅は、基端部３１の厚みよりも小さい。
【００４８】
内向面３０４ｂは、前記中心線方向に直交する方向に広がっており、内底面３０３ａと面一である。
【００４９】
ガイド面３０４ｃは、前記周方向においては湾曲している。その一方で、ガイド面３０４ｃは、前記中心線方向に交差する方向においては傾斜している。また、ガイド面３０４ｃでは、前記中心線方向に対する傾斜角度が一定となっている。
【００５０】
補助部３０１は、前記中心線方向における厚みが全体に亘って一定となっており、さらに、基端部３１（基端部３１の難変形部３０３）、及び当接部３０の本体部３００よりも薄くなっている。また、前記径方向において、補助部３０１の幅と、本体部３００の幅とは同一となっており、さらに、外壁部２の内周面との間には隙間が形成されている。
【００５１】
さらに、補助部３０１は、前記径方向における先端面によって構成される補助当面３０１ａと、外壁部２の内部に位置し且つ前記中心線方向に直交する方向に広がる内側補助面と、外壁部２の外部に向けて形成され且つ前記中心線方向に直交する方向に広がる外側補助面とを有する。
【００５２】
補助当面３０１ａは、前記中心線方向における幅が一定である。また、補助当面３０１ａは、前記周方向に沿って湾曲している。さらに、補助当面３０１ａは、前記周方向において、圧接部３０４の当面３０４ａと連続している。
【００５３】
内側補助面は、難変形部３０３の内底面３０３ａ及び圧接部３０４の先端面と面一である。そして、側補助面と外側補助面とは、平行に広がっている。
【００５４】
本実施形態において、案内面３０２は、圧接部３０４のガイド面３０４ｃによって構成されている。
【００５５】
基端部３１は、前記径方向において、当接部３０と外壁部２の内周面とに連設されている。
【００５６】
基端部３１は、当接部３０よりも薄い。本実施形態に係る基端部３１は、難変形部３０３、及び圧接部３０４のうちの難変形部３０３側の部分よりも薄い。さらに、基端部３１は、補助部３０１よりも厚い。このように、本実施形態では、当接部３０の少なくとも一部が基端部３１よりも相対的に厚く形成されている。
【００５７】
そして、基端部３１は、外壁部２の内部に位置する基端側内面３１０であって、前記中心線方向に直交する方向に広がる基端側内面３１０と、外壁部２の外部に向けて形成される基端側外面３１１であって、前記中心線方向に直交する方向に広がる基端側外面３１１とを有する。基端側内面３１０と基端側外面３１１とは、平行に広がっている。
【００５８】
さらに、基端部３１では、基端側内面３１０が難変形部３０３の内底面３０３ａと面一である一方で、基端側外面３１１と難変形部３０３の外底面３０３ｂとの間には段差が形成されている。
【００５９】
さらに、本実施形態に係る基端部３１の前記周方向の両端には、一対の側端部３１２が設けられている。側端部３１２は、基端部３１よりも薄い。また、側端部３１２は、前記周方向で基端部３１側に向けて凹むように湾曲している。そのため、本実施形態に係るアダプタ１では、基端部３１に対して前記周方向に外力（例えば、前記周方向での外力）が作用したときに基端部３１と外壁部本体２０との境目に割れ等が生じることが抑えられる。
【００６０】
接続部４は、医療用器具を外壁部２の内部に配置された状態で連結可能に構成されている。本実施形態に係る接続部４は、外壁部２の内周面上に形成された雄ネジ部である。
【００６１】
本実施形態に係るアダプタは、以上の通りである。続いて、本実施形態に係るアダプタ１をノズル部５０１に取り付ける方法について、添付図面を参照しつつ説明を行う。
【００６２】
アダプタ１をノズル部５０１に取り付けるには、図５に示すように、ノズル部５０１を保持部３の間に向けた状態でバレル５０を配置し、図６に示すように、ノズル部５０１を保持部３の間に圧入する。本実施形態では、ノズル部５０１の中心とアダプタ１の中心とを併せた状態にし、該ノズル部５０１と該アダプタ１とを互いに接近させることによって、ノズル部５０１を保持部３の間に圧入している。
【００６３】
本実施形態に係るアダプタ１は、上述のように、各保持部３がノズル部５０１を該当接部３０の先端部側に案内する案内面３０２（ガイド面３０４ｃ）を有するため、アダプタ１とノズル部５０１とが芯ずれしていても、該ノズル部５０１が該案内部によって各保持部３の間の適した位置に導かれる。従って、各保持部３の間には、アダプタ１に対して芯出しされたノズル部５０１が圧入される。
【００６４】
そして、ノズル部５０１が各保持部３の間に圧入されると、当接部３０及び基端部３１、補助部３０１のそれぞれが該ノズル部５０１によって前記径外方向に向けて押圧される。このとき、剛性が低い基端部３１が優先的に変形するため、当接部３０の変形が抑えられる。また、本実施形態では、補助部３０１も、ノズル部５０１の外周面の形状に沿って変形し易くなっているため、当接部３０の当面３０４ａと補助部３０１の補助当面３０１ａとが全体に亘ってノズル部５０１の外周面に圧接する。
【００６５】
そして、ノズル部５０１をさらに各保持部３の間に圧入すると、図７に示すように、各保持部３の当接部３０がノズル部５０１の小径部５０１ｄに圧接する。
【００６６】
このとき、圧接部３０４の内向面３０４ｂがノズル部５０１のテーパー部５０１ｃと小径部５０１ｄとの境目に形成される段差に当接する（引っ掛かる）ため、前記中心線方向におけるアダプタ１の動きが規制される。さらに、保持部３は、ノズル部５０１の縮径部５０１ｂとの間に間隔を空けて配置される。
【００６７】
このようにして、アダプタ１がノズル部５０１に取り付けられ、アダプタ付バレルが構成される。そして、アダプタ１によって、ノズル部５０１と医療用器具とを接続する場合は、接続部４（外壁部２の内側）に医療用器具の雌ネジ部が螺合される。
【００６８】
以上のように、本実施形態に係るアダプタ１は、基端部３１が前記径方向で当接部３０の外側に連設されるため、案内面３０２によって中心側に案内されたノズル部５０１が各当接部３０の間に圧入されると、当接部３０及び基端部３１のそれぞれが該ノズル部５０１によって径外方向（前記径方向における外側）に向けて押圧される。
【００６９】
アダプタ１では、当接部３０が該基端部３１よりも厚く形成されるため、当接部３０の剛性が基端部３１の剛性よりも高まる（すなわち、基端部３１の剛性が当接部３０の剛性よりも低くなる）。従って、アダプタ１では、当接部３０及び基端部３１のそれぞれがノズル部５０１によって押圧されたときに基端部３１が優先的に変形するため、当接部３０の変形が抑えられる。従って、アダプタ１では、芯出しされたノズル部５０１を変形が抑えられた当接部３０によって保持することができるため、該ノズル部５０１に対して十分な保持力を作用させることができる。
【００７０】
従って、本実施形態に係るアダプタ１は、ノズル部５０１をより高い保持力で保持することができるという優れた効果を奏し得る。また、上述のアダプタ１をノズル部５０１に取り付けたアダプタ付バレルも、アダプタ１がノズル部５０１をより高い保持力で保持することができるという優れた効果を奏し得る。
【００７１】
そして、本実施形態に係るアダプタ１では、当接部３０が前記周方向における本体部３００の両側に位置する一対の補助部３０１を有するため、本体部３００に加えて補助部３０１もノズル部５０１に圧接する。従って、アダプタ１では、保持部３がノズル部５０１に圧接する領域をより広くすることができ、これにより、ノズル部５０１に対する保持力をより高めることができる。
【００７２】
また、アダプタ１では、本体部３００が補助部３０１よりも厚いため、当接部３０がノズル部５０１によって押圧されたときに、補助部３０１が本体部３００よりも変形し易くなる。従って、アダプタ１では、本体部３００及び補助部３０１全体がノズル部５０１に圧接し易くなるため、ノズル部５０１に対する保持力をより確実に高めることができる。
【００７３】
これに伴い、本実施形態に係るアダプタ１では、例えば、アダプタ１への取付時や医療用器具の接続時、さらには、アダプタ１で接続したシリンジ５と医療用器具とを使用する際において、ノズル部５０１に対する姿勢（傾き）や取付位置が変わってしまうことが防止される。
【００７４】
さらに、アダプタ１では、前記周方向における当接部３０の幅が前記周方向における基端部３１の幅よりも広いため、前記周方向において、当接部３０の一部が基端部３１よりも外側に位置する。そのため、当接部３０がノズル部５０１によって押圧されたときに、前記当接部３０の一部が該ノズル部５０１の形状に沿って変形し易くなる。これにより、当接部３０全体がノズル部５０１に圧接し易くなるため、ノズル部５０１に対する保持力をより確実に高めることができる。
【００７５】
また、アダプタ１では、当接部３０の本体部３００が前記径方向における基端部３１の内側に連設されるため、該本体部３００がノズル部５０１に直接的に圧接する。
【００７６】
アダプタ１では、本体部３００が基端部３１よりも厚いため、本体部３００及び基端部３１のそれぞれがノズル部５０１によって押圧されたときに、基端部３１を優先的に変形させることで本体部３００の変形を抑えることができ、これにより、ノズル部５０１に対して十分な保持力を作用させることができる。
【００７７】
そして、アダプタ１では、前記周方向における本体部３００の幅と、前記周方向における基端部３１の幅とが同一又は略同一であるため、本体部３００全体の変形を抑えることができる。
【００７８】
さらに、アダプタ１では、前記中心線方向における当接部３０の他方の面がノズル部５０１（縮径部５０１ｂ）との間に間隔を空けた状態で配置されるため、当接部３０の他方の面がノズル部５０１に接触することによって、ノズル部５０１に対する取り付け位置や姿勢が変わってしまうことも防止される。
【００７９】
なお、本実施形態に係るアダプタ１及びアダプタ付バレルは、上記一実施形態に限定されるものではなく、本発明の要旨を逸脱しない範囲において種々変更を行うことは勿論である。
【００８０】
上記実施形態において、アダプタ１は、四つの保持部３を備えていたが、この構成に限定されない。例えば、アダプタ１は、二つ又は三つの保持部３を備えていたり、五つ以上の保持部３を備えていてもよい。
【００８１】
上記実施形態において、当接部３０は、一部の厚みが基端部３１の厚みよりも大きくなるように形成されていたが、この構成に限定されない。例えば、当接部３０全体の厚みが基端部３１の厚みよりも大きくなっていてもよい。このように、当接部３０は、少なくとも一部の厚みが基端部３１の厚みよりも大きくなるように形成されていればよい。
【００８２】
上記実施形態において、当接部３０は、本体部３００と補助部３０１とを有するが、この構成に限定されない。例えば、当接部３０全体が本体部３００によって構成されていてもよい。
【００８３】
上記実施形態において、ガイド面３０４ｃは、前記中心線方向に対する傾斜角度が一定となっていたが、この構成に限定されない。すなわち、上記実施形態のガイド面３０４ｃは、前記径方向における一端から他端に亘って傾斜角度が一定となっていたが、前記径方向における一端と他端との間で傾斜角度が変化していてもよく、例えば、ガイド面３０４ｃには、図８に示すように、傾斜角度が異なる二つの面が含まれていてもよい。このように、ガイド面３０４ｃには、前記中心線方向に対する傾斜角度が異なる複数の面が含まれていてもよい。
【００８４】
上記実施形態において、ガイド面３０４ｃは、前記中心線方向に対して傾斜していたが、この構成に限定されない。例えば、ガイド面３０４ｃは、図９に示すように、前記径方向における一端から他端に亘って湾曲するように形成されていてもよく、例えば、ガイド面３０４ｃには、曲率の異なる二つの面が含まれていてもよい。このように、ガイド面３０４ｃには、曲率の異なる複数の面が含まれていてもよい。
【００８５】
上記実施形態において、特に言及しなかったが、図９に示すように、ガイド面３０４ｃと当面３０４ａとの境目は丸みを帯びていてもよい。この場合、ノズル部５０１をより円滑に各保持部３の間に導くことができる。また、ガイド面３０４ｃと当面３０４ａとの境目に接触したノズル部５０１に割れや欠けが生じることを抑えることもできる。
【００８６】
上記実施形態において、当面３０４ａの前記中心線方向における幅は、基端部３１の厚みよりも小さくなっていたが、この構成に限定されない。例えば、当面３０４ａの前記中心線方向における幅は、基端部３１の厚みと同一であってもよいし、基端部３１の厚みよりも大きくなっていてもよい。
【００８７】
上記実施形態において、補助部３０１は、全体に亘って厚みが一定となるように形成されていたが、この構成に限定されない。例えば、図１０に示すように、補助部３０１は、前記径方向における内側の部分の厚みと、前記径方向における外側の部分の厚みとが異なっていてもよい。
【００８８】
より具体的に説明する。図１０に示すアダプタ１において、補助部３０１は、ノズル部５０１に直接的に圧接する内周部３０１ｂと、前記径方向において内周部３０１ｂの外側に連設される外周部３０１ｃとを有する。
【００８９】
内周部３０１ｂは、外周部３０１ｃ側になるにつれて厚みが大きくなるように形成されている。そして、外周部３０１ｃは、内周部３０１ｂよりも薄くなっている。また、内周部３０１ｂには、圧接部３０４のガイド面３０４ｃに連続する面が含まれている。そのため、図１０に示すアダプタ１の案内面３０２には、ガイド面３０４ｃと、内周部３０１ｂのガイド面３０４ｃに連続する面とが含まれる。なお、内周部３０１ｂのガイド面３０４ｃに連続する面は、前記中心線方向に対して傾斜していてもよいし、前記径方向における一端から他端に亘って湾曲するように形成されていてもよい。
【００９０】
上記実施形態において、本体部３００は、一部が基端部３１よりも厚くなるように構成されるが、この構成に限定されない。例えば、本体部３００は、全体が基端部３１よりも厚くなるように構成されてもよい。
【００９１】
上記実施形態において、基端部３１の前記周方向における幅は、当接部３０の前記周方向における幅よりも狭いが、この構成に限定されない。例えば、基端部３１の前記周方向における幅は、当接部３０の前記周方向における幅と同一であってもよい。この場合、図１１に示すように、当接部３０を本体部３００のみで構成してもよいし、図１２に示すように、当接部３０を本体部３００と補助部３０１とによって構成してもよい。
【００９２】
上記実施形態では、前記周方向において、基端部３１の幅が当接部３０の幅よりも狭くなっていたが、この構成に限定されない。例えば、前記周方向において、基端部３１の幅が当接部３０の幅より広くなっていてもよい。
【００９３】
上記実施形態において、接続部４は、医療用器具を外壁部２の内部に配置された状態で連結可能に構成されているが、この構成に限定されない。例えば、接続部４は、医療用器具を外壁部２に外嵌させた状態で連結可能に構成されていてもよい。
【００９４】
上記実施形態において、接続部４に対して医療用器具を螺合させることによって、該医療用器具を外壁部２に連結していたが、この構成に限定されない。例えば、接続部４と医療用器具とを掛止させ合うことによって、該医療用器具を外壁部２に連結してもよい。
【００９５】
上記実施形態では、アダプタ１をノズル部５０１に取り付けるにあたり、ノズル部５０１をアダプタ１に接近させていたが、この構成に限定されない。例えば、アダプタ１をノズル部５０１に取り付ける場合、アダプタ１をノズル部５０１に接近させてもよいし、アダプタ１とノズル部５０１とを互いに接近させてもよい。
【符号の説明】
【００９６】
１…アダプタ、２…外壁部、３…保持部、４…接続部、５…シリンジ、２０…外壁部本体、２１…凸条、３０…当接部、３１…基端部、５０…バレル、５１…ガスケット、５２…ロッド、５３…支持部材、３００…本体部、３０１…補助部、３０１ａ…補助当面、３０１ｂ…内周部、３０１ｃ…外周部、３０２…案内面、３０３…難変形部、３０３ａ…内底面、３０３ｂ…外底面、３０４…圧接部、３０４ａ…当面、３０４ｂ…内向面、３０４ｃ…ガイド面、３１０…基端側内面、３１１…基端側外面、３１２…側端部、５００…バレル本体部、５０１…ノズル部、５０１ａ…ノズル本体部、５０１ｂ…縮径部、５０１ｃ…テーパー部、５０１ｄ…小径部、５０２…鍔部
【図１】
2017209368.tif 000003
【図２】
2017209368.tif 000004
【図３】
2017209368.tif 000005
【図４】
2017209368.tif 000006
【図５】
2017209368.tif 000007
【図６】
2017209368.tif 000008
【図７】
2017209368.tif 000009
【図８】
2017209368.tif 000010
【図９】
2017209368.tif 000011
【図１０】
2017209368.tif 000012
【図１１】
2017209368.tif 000013
【図１２】
2017209368.tif 000014
【図１３】
2017209368.tif 000015
【図１４】
2017209368.tif 000016
【図１５】
2017209368.tif 000017
【図１６】
2017209368.tif 000018
【図１７】
2017209368.tif 000019